(57)【要約】【課題】ＬＥＤを光源として用いた照明器具において、装飾性を高め、照射光の照射範囲を広くする。【解決手段】照明器具１を構成する灯体２は、ＬＥＤ４と、ＬＥＤ４からの光を反射する反射部材６と、これらＬＥＤ４及び反射部材６を覆う透光性のカバー７と、を備える。反射部材６は、透光性の球状多面体とされ、カバー７の中心に配置される。この構成によれば、反射部材６がＬＥＤ４からの光を多方向に反射してミラーボールのようなキラキラ感溢れる光を照射するので、装飾性を高くすることができ、また、照射光の照射範囲を広くすることができる。【選択図】図１
2013127941.tif 000002
【特許請求の範囲】
【請求項１】
灯体と、この灯体に給電するための給電ワイヤと、を備え、前記灯体が前記給電ワイヤにより天井から吊り下げられた状態で使用される照明器具であって、
前記灯体は、前記給電ワイヤと接続されたＬＥＤと、このＬＥＤからの光を反射する反射部材と、これらＬＥＤ及び反射部材を覆う透光性のカバーと、を有し、
前記反射部材は、透光性の球状多面体とされ、前記カバーの中心に配置されていることを特徴とする照明器具。
【請求項２】
前記カバーは、球面形状とされていることを特徴とする請求項１に記載の照明器具。
【請求項３】
前記カバーに収容されて前記ＬＥＤを搭載する基台を備え、
前記カバーの前記基台を覆う領域が光拡散性を有することを特徴とする請求項１又は請求項２に記載の照明器具。
【発明の詳細な説明】
【技術分野】
【０００１】
本発明は、ＬＥＤを光源として用いた照明器具に関する。
【背景技術】
【０００２】
近年、ＬＥＤを光源として用いた照明器具が注目されている（例えば、特許文献１参照）。この種の照明器具は、図４に示すように、電球１００と、電球１００が取り付けられ電球１００に給電するためのソケット２００と、を備える。電球１００は、複数のＬＥＤ３００と、これらＬＥＤ３００に囲まれるように配置された円錐形状の反射部材４００と、ＬＥＤ３００及び反射部材４００を覆うカバー５００と、を有する。反射部材４００は、金属材料により構成され、その円錐形状の表面においてＬＥＤ３００から広角に出射された光を反射する。カバー５００の内面には、ＬＥＤ３００からの光及び反射部材４００により反射された光を拡散する光拡散層６００が設けられる。ＬＥＤ３００からの光は、直接又は反射部材４００により種々の方向に反射された後、光拡散層６００により拡散されてカバー５００の外表面より外部へ出射される。
【先行技術文献】
【特許文献】
【０００３】
【特許文献１】特開２０１０−６２００５号公報
【発明の概要】
【発明が解決しようとする課題】
【０００４】
しかしながら、上述したような照明器具は、反射部材４００の表面が滑らかな円錐面であり、また、光拡散層６００によって出射光の輝度が均一化されているので、キラキラ感に乏しく、装飾性（誘目性）が低い。また、ＬＥＤ３００の実装面よりもソケット２００側へは光が出射されず、照射光の照射範囲が限定的になる。
【０００５】
本発明は、上記課題を解決するものであって、ＬＥＤを光源として用いた照明器具において、照射光にキラキラ感があって装飾性が高く、かつ照射光の照射範囲が広い照明器具を提供することを目的とする。
【課題を解決するための手段】
【０００６】
本発明の照明器具は、灯体と、この灯体に給電するための給電ワイヤと、を備え、前記灯体が前記給電ワイヤにより天井から吊り下げられた状態で使用され、前記灯体は、前記給電ワイヤと接続されたＬＥＤと、このＬＥＤからの光を反射する反射部材と、これらＬＥＤ及び反射部材を覆う透光性のカバーと、を有し、前記反射部材は、透光性の球状多面体とされ、前記カバーの中心に配置されていることを特徴とする。
【０００７】
前記カバーは、球面形状とされていることが好ましい。
【０００８】
前記カバーに収容されて前記ＬＥＤを搭載する基台を備え、前記カバーの前記基台を覆う領域が光拡散性を有することが好ましい。
【発明の効果】
【０００９】
本発明によれば、反射部材が透光性の球状多面体とされているので、ＬＥＤからの光を多方向に反射すると共に、ミラーボールのようなキラキラ感溢れる光を照射することができる。従って、装飾性が高まり、かつ照射光の照射範囲を広くすることができる。
【図面の簡単な説明】
【００１０】
【図１】本発明の実施形態に係る照明器具の側断面図。
【図２】上記照明器具を図１のＩ方向から視たときの側断面図。
【図３】上記実施形態の変形例に係る照明器具の側断面図。
【図４】従来の照明器具の部分側断面図。
【発明を実施するための形態】
【００１１】
本発明の実施形態に係る照明器具について、図１及び図２を参照して説明する。照明器具１は、灯体２と、灯体２に商用電源から得た電力を給電するための給電ワイヤ３と、を備える。照明器具１は、灯体２が給電ワイヤ３により天井から吊り下げられた状態で使用される。
【００１２】
灯体２は、給電ワイヤ３と電気的に接続されたＬＥＤ４と、ＬＥＤ４が搭載される基台５と、ＬＥＤ４の光出射面近傍に設けられた反射部材６と、これらを覆う透光性のカバー７と、を有する。ＬＥＤ４には、例えば、青色光を出射するＧａＮ系青色ＬＥＤチップに黄色蛍光体を被覆させて白色光が出射されるようにした白色ＬＥＤが好適に用いられるが、任意の色の光を発するＬＥＤが使用可能である。反射部材６は、透光性の球状多面体とされ、カバー７の中心に配置される。カバー７は、球面形状とされる。
【００１３】
基台５は、ＬＥＤ４が実装される配線基板５１と、配線基板５１が取り付けられるベース５２と、を有する。配線基板５１は、その一面にＬＥＤ４を実装するための実装面を有し、この実装面にＬＥＤ４に給電するための配線パターン（不図示）が形成されている。実装面の裏面側にはＬＥＤ４を点灯制御するための制御素子５３（図２参照）が設けられる。配線パターンの一部は、実装面の裏面側に貫通し、制御素子５３と電気的に接続される。制御素子５３は、配電線（不図示）を介して給電ワイヤ３と電気的に接続される。配線基板５１は、ネジ５４によりベース５２にネジ止めされる。
【００１４】
基台５は、更に、ベース５２から配線基板５１が取り付けられている側とは反対側に伸びる支柱５５と、支柱５５に取り付けられカバー７を保持する保持部材５６と、支柱５５の先端に設けられたネジ溝に螺合する固定用ナット５７と、を有する。保持部材５６は、支柱５５に取り付けられる矩形の平板５６ａと、平板５６ａの両端からベース５２側に傾斜した２つの矩形の側板５６ｂと、により構成される。保持部材５６は、そのベース５２に相対している面とは反対側の面の長手方向端部に、カバー７を保持したときにカバー７の回転や傾斜を防止する滑り止めパッド５８を有する。保持部材５６の長手方向の長さは、保持部材５６がカバー７の内側からカバー７の開口（後述参照）周辺部に引っかかるように、カバー７の開口の直径よりも長く構成される。保持部材５６は、その滑り止めパッド５８をカバー７の内面に当接させてカバー７を保持する。固定用ナット５７は、自身と保持部材５６との間に配設されるカバー７の蓋（後述参照）を固定するのに用いられる。
【００１５】
反射部材６は、複数の多角形の各辺を連結させて球形状と成した透光性部材であり、ガラスやアクリル樹脂等の透光性材料により構成される。このものとして、例えば、多数のカット面を有するクリスタルガラス及び有機ガラスが挙げられる。なお、反射部材６を構成する透光性材料には、透光性を損なわない程度に着色剤が添加されていてもよい。反射部材６は、基台５のベース５２から立設された固定具６１により所定の位置に固定される。すなわち、ＬＥＤ４と反射部材６とは、基台５を介して一体保持されている。ＬＥＤ４と反射部材６との距離や反射部材６の大きさは、ＬＥＤ４の（１／２）ビーム角等に基づいて定められ、好ましくは、ＬＥＤ４の中心から球状の反射部材６に伸びる接線と、ＬＥＤ４の（１／２）ビーム角を画定する線と、がほぼ一致するように定められる。こうすれば、ＬＥＤ４から出射した光の殆どが反射部材６の表面に到達するので、光を効果的に反射することができる。
【００１６】
カバー７は、ガラスやアクリル樹脂等の透光性材料により構成され、その一部に設けられた円形の開口７１と、開口７１に取り付けられる透光性の蓋７２と、を有する。開口７１の直径は、カバー７内に基台５や反射部材６を出し入れすることができる大きさとされる。蓋７２の中央には、基台５の支柱５５が挿通される穴７２ａが形成される。蓋７２は、穴７２ａが支柱５５に挿通された状態で開口７１を塞ぐ。
【００１７】
給電ワイヤ３は、芯材と、給電線と、これらを被覆する絶縁性樹脂と、により構成される。芯材は、１９本のφ０．１２のＳＵＳ（ステンレス鋼）線により構成される。給電線は、１２本の銅線により構成される。各々の銅線は、８本のφ０．０８の銅線を束ねたものにより構成される。
【００１８】
次に、照明器具１を組み立てる手順を説明する。まず、一体保持されたＬＥＤ４、基台５及び反射部材６を、カバー７の開口７１よりカバー７内に挿入する。次いで、基台５の保持部材５６に設けた滑り止めパッド５８を、カバー７の内面に当接させる。これにより、カバー７が自重で保持部材５６に係止される。その後、蓋７２で開口７１を塞いで、蓋７２を固定用ナット５７で締め付けて固定する。
【００１９】
上記のように組み立てられた照明器具１において、ＬＥＤ４から出射された光は、反射部材６により種々の方向に反射される。このとき、反射部材６の表面が多数の多角形により構成されているので、ＬＥＤ４から出射された光は反射部材６の表面で反射される、又は反射部材６内に入射した後、入射面とは異なる面を屈折透過する。その結果、ＬＥＤ４から球状の反射部材６に入射した光は、３６０度全方向に反射され、その後、透光性のカバー７を透過してから照明器具１の外部へ照射される。
【００２０】
従って、本実施形態の照明器具１によれば、反射部材６がＬＥＤ４からの光を多方向に反射してミラーボールのようなキラキラ感溢れる光を照射するので、装飾性が高まると共に、照射光の照射範囲を広くすることができる。
【００２１】
また、カバー７が球面形状とされ、カバー７の中心に反射部材６が配置されているので、反射部材６により反射された光は、全方向においてカバー７に対してほぼ直角に入射する。これにより、カバー７表面における入射光の全反射が抑制され、照明器具１の光取り出し効率が向上すると共に、カバー７の外表面全体からまんべんなく光を照射することができる。
【００２２】
次に、上記実施形態の変形例に係る照明器具について、図３を参照して説明する。この変形例に係る照明器具１においては、カバー７の基台５を覆う領域が拡散材７３を含有して光拡散性を有する。こうすれば、この領域が摺りガラス状となり、照明器具１を外側から見たときに基台５が見え難くなるので、照明器具１の見栄えを更に良くすることができる。
【００２３】
なお、本発明に係る照明器具は、上記実施形態及びその変形例に限定されず、種々の変形が可能である。例えば、照明器具に設けられるＬＥＤ及び反射部材の数は、それぞれ複数であってもよい。また、カバーは、球面形状に限定されず、例えば、その外形が立方体形状や星形状とされてもよい。また、基台のベースや、支柱及び保持部材の表面が、金メッキ等により装飾されていてもよい。こうすれば、カバーが拡散材を含まない構成であっても、照明器具の見栄えを良くすることができる。
【符号の説明】
【００２４】
１  照明器具
２  灯体
３  給電ワイヤ
４  ＬＥＤ
５  基台
６  反射部材
７  カバー
７３  拡散材
【図１】
2013127941.tif 000003
【図２】
2013127941.tif 000004
【図３】
2013127941.tif 000005
【図４】
2013127941.tif 000006